(57)【要約】【課題】複数パターンの被梱包部品を梱包することができる梱包材を提供する。【解決手段】被梱包部品Ｗ２を収容保持するための形状が形成された凹所１１ａ，１１ｂを有する支持部４ａ，４ｂを備えた梱包材において、支持部４ａ，４ｂは、この支持部４ａ，４ｂを収容可能な収容部本体５ａ，５ｂに着脱自在に設置され、他の形状を有する被梱包部品Ｗ２の形状に応じた凹所を有する他の支持部４ａ，４ｂと交換可能とされていることを特徴とする。【選択図】図３
0003176215.tif 000002
【実用新案登録請求の範囲】
【請求項１】
被梱包部品を収容保持するための形状が形成された凹所を有する支持部を備えた梱包材において、
前記支持部は、この支持部を収容可能な収容部本体に着脱自在に設置され、他の形状を有する被梱包部品の形状に応じた凹所を有する他の支持部と交換可能とされていることを特徴とする梱包材。
【請求項２】
請求項１に記載の梱包材において、
前記支持部は、複数の分割体を連結して収容部本体に着脱可能であることを特徴とする梱包材。
【請求項３】
請求項１又は２に記載の梱包材において、
前記収容部本体は、複数組の前記支持部を装着可能とし、複数の被梱包部品を収容可能とされていることを特徴とする梱包材。
【請求項４】
請求項１から３のいずれか１項に記載の梱包材において、
上下方向に段積み可能とされていることを特徴とする梱包材。
【考案の詳細な説明】
【技術分野】
【０００１】
本考案は、物品を梱包する梱包材に関する。
【背景技術】
【０００２】
従来より、成形発泡体に一の物品を嵌合させる凹所を形成し、前記一の製品を位置決めしつつ保護する梱包として、例えば下記特許文献１に記載された梱包材が知られている。
特許文献１に記載した梱包材は、型内発泡成形品であり、底板と四方の側壁で区画される物品収容空間を有している。この物品収容空間内には、収容すべき被梱包部品の外形に応じて成形された被梱包部品の支持部が一体成形されている。従来の梱包材は、上記の構成により、被梱包部品を前記支持部に嵌合させて好適に梱包している。
【先行技術文献】
【特許文献】
【０００３】
【特許文献１】特開２０１１−２６０１１号公報
【考案の概要】
【考案が解決しようとする課題】
【０００４】
ところで、被梱包部品によっては、消費者の好みやその部品の機能に応じて、一部の外形を異ならせた複数種類の外形のバリエーションが用意されている場合がある。このような被梱包部品においては、前記一部で外形が異なっているものの全体としては概ね近似した外形となっている。
しかし、従来の梱包材によれば、支持部を含めて梱包材全体が一体成形されているため、外形の大部分が共通しており相違がわずかであっても、梱包材全体を新たに成形しなければならず、金型コストが嵩むという問題があった。また、既存の金型の使用効率が悪いという問題があった。
また、外形が異なるバリエーションの被梱包部品のすべてについてそれぞれ異なる梱包材を用意すると、在庫スペースの効率が低下するという問題があった。
また、一部の形状の相違部分にスペーサを嵌合させて２種類程度の異なる形状を有する物品を梱包する方法もあるが、このような梱包材では対応可能な形状に限界があるという課題があった。
【０００５】
そこで、本考案は、上記課題に鑑みて、複数パターンの被梱包部品を梱包することができる梱包材を提供する。
【課題を解決するための手段】
【０００６】
本考案は、被梱包部品を収容保持するための形状が形成された凹所を有する支持部を備えた梱包材において、前記支持部は、この支持部を収容可能な収容部本体に着脱自在に設置され、他の形状を有する被梱包部品の形状に応じた凹所を有する他の支持部と交換可能とされていることを特徴とする。
本考案によれば、被梱包部品の支持部が収容部本体に対して交換可能とされているため、支持部を交換するだけで多様な形状の被梱包部品を梱包することができる。
本考案は、請求項１に記載の梱包材において、前記支持部は、複数の分割体を連結して収容部本体に着脱可能であることを特徴とする。
本考案によれば、支持部が複数の分割体を連結して収容部本体に着脱可能であるため、被梱包部品を支持する箇所の一部が異なる場合に、その部分だけを被梱包部品に合わせて変更することができる。
本考案は、前記収容部本体は、複数組の前記支持部を嵌合可能とし、複数の被梱包部品を収容可能とされていることを特徴とする。
本考案によれば、前記収容部本体が複数組の支持部を嵌合可能としているため、複数の被梱包部品を同時に梱包することができる。また、収容部本体に異なる支持部の形状が異なる２種以上の被梱包部品を梱包することができる。
本考案は、上下方向に段積み可能とされていることを特徴とする。
【考案の効果】
【０００７】
本考案に係る梱包材によれば、被梱包部品の支持部が収容部本体に着脱自在に設置され、他の形状を有する被梱包部品を支持する他の支持部と交換可能とされているため、異なる形状を有する被梱包部品の梱包に容易に適用させることができるという効果を奏する。また、異なる形状を有する被梱包部品の梱包材として支持部のみを別途成形すればよいため、梱包材の製造コストを抑えることができる。また、異なる種類の梱包材を作成するにあたり、異なる種類の支持部と共通の収容部本体があればよいため、在庫の省スペース化を図ることができるという効果を奏する。
【図面の簡単な説明】
【０００８】
【図１】は、本考案の一実施形態として示した梱包材により被梱包部材を梱包した状態を示した平面図である。
【図２】は、本考案の一実施形態として示した梱包材の一部を示す断面図である。
【図３】（ａ），（ｂ）は、本考案の一実施形態として示した梱包材の一部を示す断面図である。
【図４】は、本考案の一実施形態として示した梱包材の変形例を示す平面図である。
【考案を実施するための形態】
【０００９】
以下、図を参照して本考案の実施形態について説明する。
図１は、本考案の一実施形態として示した梱包材１により梱包対象となる被梱包部品Ｗを梱包した状態を示した図である。被梱包部品Ｗとしては、長尺な自動車部品等が挙げられるが、本実施形態では、被梱包部品Ｗとして自動車のトランスミッションを例として梱包材１を説明する。
【００１０】
図１に示すように、トランスミッションＷは、長尺の筐体内に不図示の変速ギアが具備されたものであり、一端側Ｗ１は複数段の円筒状に形成され、他端側Ｗ２は基端側に向かって漸次大径となる形状に形成されている。一端側Ｗ１と他端側Ｗ２の間の胴部Ｗ３は、略一定径の円筒状に形成されている。
【００１１】
図１に示すように、梱包材１は、トランスミッションＷを梱包するものであり、トランスミッションＷの一端側Ｗ１を保持する保持部１Ａと他端側Ｗ２を保持する保持部１Ｂとを備えている。
【００１２】
図２に示すように、保持部１Ａは、トランスミッションＷの一端側Ｗ１の周面を互いに対向する方向から把持する一対の分割体２ａ，２ｂを備えている。
分割体２ａ，２ｂは、それそれ、一端側Ｗ１の外形に嵌合するように形成された凹所１０ａ，１０ｂを備えている。
【００１３】
図３（ａ）に示すように、保持部１Ｂは、他端側Ｗ２の周面を互いに対向する方向から把持する２つの挟持部材３ａ，３ｂを備えている。
挟持部材３ａは、直方体形状のブロック体の一の面が他端側Ｗ２の外形の半部に嵌合するように、前記半部の形状に対応して形成された凹所１１ａを有する支持ブロック（支持部）４ａと、この支持ブロック４ａを密に嵌合させる収容部本体５ａとを備えている。
【００１４】
また、挟持部材３ｂは、直方体形状のブロック体の一の面が他端側Ｗ２の外形の他の半部に嵌合するように、前記他の半部の形状に対応して形成された凹所１１ｂを有する支持ブロック４ｂと、この支持ブロック４ｂを密に嵌合させる収容部本体５ｂとを備えている。
【００１５】
収容部本体５ａは、平面視略矩形の底壁部６と、底壁部６から四方を取り囲むように立ち上がる側壁部７，７・・とを備えている。そして、底壁部６には、支持ブロック４ａを密に嵌合させ得る略直方体形状の収容凹部８ａが形成されている。この収容凹部８ａは、支持ブロック４ａと凹所１１ａ以外の形状が同一の他の支持ブロック４ｃ等も密に嵌合可能とされている。
【００１６】
また、収容部本体５ｂは、平面視略矩形の天壁部１６と、天壁部１６から四方を取り囲むように立ち上がる側壁部１７，１７・・とを備えている。そして、天壁部１６は、支持ブロック４ｂを密に嵌合させ略直方体形状に形成された収容凹部８ｂを有している。この収容凹部８ｂは、支持ブロック４ｂと凹所１１ｂ以外の形状が同一の他の支持ブロック４ｄ等も密に嵌合可能とされている。
【００１７】
この構成の下に、支持ブロック４ａ，４ｂは、それぞれ収容部本体５ａ，５ｂの収容凹部８ａ、８ｂに着脱自在に設置されるようになっているとともに、凹所１１ａ，１１ｂを対向させて他端側Ｗ２を把持できるようになっている。
【００１８】
なお、梱包材１の材質は、型内発泡成形された熱可塑性樹脂の発泡成形体であることが好ましい。熱可塑性樹脂には、ポリスチレン系樹脂、ポリオレフィン系樹脂（例えば、ポリプロピレン系樹脂、ポリエチレン系樹脂等）、ポリエステル系樹脂（例えば、ポリエチレンテフタレート、ポリブチレンテフタレート、ポリエチレンナフタレート等）、ポリカーボネート系樹脂、ポリ乳酸系樹脂などが挙げられる。なかでも、ポリスチレンとポリエチレンとを含む複合樹脂を用いることが望ましい。
【００１９】
以上のようにして、トランスミッションＷは、一端側Ｗ１が図２に示す挟持部材２ａ，２ｂの凹所１０ａ，１０ｂに嵌合されて保持部１Ａに収容保持され、他端側Ｗ２が図３（ａ）に示す支持ブロック４ａ，４ｂを介して収容部本体５ａ及び収容部本体５ｂに収容されることによって保持部１Ｂに収容される。
【００２０】
そして、図３（ｂ）に示すように、収容部本体５ａ，５ｂの収容凹部８ａ，８ｂには、凹所１１ａ，１１ｂと異なる形状の凹所を備えた支持ブロックを収容可能となっているため、当該支持ブロックを収容部本体５ａ，５ｂの収容凹部８ａ，８ｂに嵌合させて、他端部Ｗ２の形状が異なるトランスミッションＷを梱包材１によって梱包することができる。
そして梱包材１によって梱包されたトランスミッションＷは、不図示のパレット上に設置されたケーシング内において、図１に示すように互いに向きを変えて載置され、所定数量を段積みして梱包体Ａとし、搬送される。
【００２１】
以上のように、梱包材１は、支持ブロック４ａ，４ｂを変更するだけで簡単かつ適切に一部の形状が異なる複数種類のトランスミッションＷを梱包することができる。
したがって、支持ブロック４ａ，４ｂの金型のみを、トランスミッションＷの種類に応じて設け、支持ブロック４ａ，４ｂを種類毎に成形し、他の部分は同一のものを生産すればよく、保持部１Ａ，１Ｂを一体成形する金型を設けて保持部１Ａ，１Ｂ毎に成形するよりも遥かに低コストで梱包材１を製造することができる。
【００２２】
また、梱包材１を上記のように構成することにより、保持部１Ａ，１Ｂの全体が異なる梱包材１を種類毎に在庫しておくよりも遥かに在庫スペースを小さく抑えることができるという効果が得られる。
また、複数種類のトランスミッションＷを同一の梱包体内に納めることができるという効果が得られる。
【００２３】
次に、本実施形態の変形例について説明する。本実施形態において第１の実施態様と同一の構成については同一の符号を付してその説明を省略し、上記実施形態と異なる構成についてのみ説明する。
本変形例においては、保持部１Ａの挟持部材２１ａ，２１ｂが直方体の一の角部を含んで切り欠いた形状とされている。
【００２４】
したがって、保持部１Ａ及び保持部１Ｂを、保持部１Ａについては切り欠かれた角部を含む仮想直方体形状を同方向に配列するように配置し、トランスミッションＷを傾けて平行に配列して効率良く梱包することができる。
以上のように、梱包材１によれば、支持ブロック４ａ等を嵌合させる共通の嵌合凹部８ａ等を形成すればどのような形状の収容部本体２２ａ，２２ｂにも適用することができる。
【００２５】
なお、上記実施形態及びその変形例では、トランスミッションＷの他端側Ｗ２の保持部１Ｂにおいて、他端側Ｗ２を嵌合させる部分を支持部４ａ、４ｂとして交換可能としたが、保持部１Ａ，１Ｂの双方について、支持ブロックとこれを収容させる収容部本体とに分割できるよう交換可能にしたものであってもよい。
この構成の下に、梱包材１は、一端部Ｗ１及び他端部Ｗ２の双方において形状が異なるトランスミッションＷを支持ブロック４ａ，４ｂを交換するだけで容易に梱包することができる。  
【００２６】
また、支持ブロックは、更に小さな単位の分割体からなり、これらを嵌合することにより連結できるようにしたものであってもよい。  
このような構成とすることにより、トランスミッションＷを支持する支持ブロックの一部の形状のみが異なる場合に、その部分だけを適宜変更することができる。
【００２７】
また、挟持部材２ａ及び挟持部材３ａの収容部本体５ａ並びに挟持部材２ｂ及び挟持部材３ｂの収容部本体５ｂは、それぞれ一体成形され、複数のトランスミッションＷを梱包可能とするものであってもよい。
本考案によれば、支持ブロックを除く一対の挟持ブロックがそれぞれ一体成形されて複数トランスミッションＷを嵌合可能となっているため、複数の被梱包部品を同時に梱包することができる。また、収容部本体に異なる支持部の形状が異なる２種以上の被梱包部品を梱包することができる。
【符号の説明】
【００２８】
１    梱包材
４ａ，４ｂ  支持ブロック（支持部）
５ａ，５ｂ  収容部本体
Ｗ    トランスミッション（被梱包部品）
【図１】
0003176215.tif 000003
【図２】
0003176215.tif 000004
【図３】
0003176215.tif 000005
【図４】
0003176215.tif 000006